(57)【要約】【課題】コンテンツ再生装置で確実に再生可能なコンテンツを送信することのできるコンテンツ送信装置、コンテンツ再生装置およびコンテンツ送受信システムを提供することを目的とする。【解決手段】送信すべきコンテンツのリストである送信対象コンテンツリストを作成するコンテンツ送信装置と、コンテンツ送信装置から送信対象コンテンツリストを取得するコンテンツ再生装置とを有し、コンテンツ再生装置は、送信対象コンテンツリストに対応するコンテンツをコンテンツ送信装置に要求し、コンテンツをコンテンツ再生手段で再生することによって再生不可コンテンツを識別して再生不可コンテンツリストを作成し、コンテンツ送信装置は、再生不可コンテンツリストに対応するコンテンツを送信対象コンテンツリストから除外するように、コンテンツ送受信システムを構成する。【選択図】図１
2009238058.tif 000002
【特許請求の範囲】
【請求項１】
コンテンツ送信装置から送信対象コンテンツリストを取得し、前記送信対象コンテンツリストに対応するコンテンツをコンテンツ再生手段で再生することによって再生することのできないコンテンツを識別し、その結果を前記コンテンツ送信装置に送信することを特徴とする、コンテンツ再生装置。
【請求項２】
コンテンツ送信装置から送信対象コンテンツリストを取得し、前記送信対象コンテンツリストに対応するコンテンツを前記コンテンツ送信装置に要求し、前記コンテンツをコンテンツ再生手段で再生することによって再生不可コンテンツを識別して再生不可コンテンツリストを作成し、前記再生不可コンテンツリストを前記コンテンツ送信装置に送信することを特徴とする、コンテンツ再生装置。
【請求項３】
コンテンツ再生装置に送信すべき送信対象コンテンツリストを前記コンテンツ再生装置に送信し、前記コンテンツ再生装置から、前記コンテンツ再生装置で再生できなかったコンテンツのリストである再生不可コンテンツリストを取得し、前記再生不可コンテンツリストに対応するコンテンツを前記送信対象コンテンツリストから除外することを特徴とする、コンテンツ送信装置。
【請求項４】
送信すべきコンテンツのリストである送信対象コンテンツリストを作成するコンテンツ送信装置と、前記コンテンツ送信装置から前記送信対象コンテンツリストを取得するコンテンツ再生装置とを有し、
前記コンテンツ再生装置は、前記送信対象コンテンツリストに対応するコンテンツを前記コンテンツ送信装置に要求し、前記コンテンツをコンテンツ再生手段で再生することによって再生不可コンテンツを識別して再生不可コンテンツリストを作成し、
前記コンテンツ送信装置は、前記再生不可コンテンツリストに対応するコンテンツを前記送信対象コンテンツリストから除外することを特徴とする、コンテンツ送受信システム。
【発明の詳細な説明】
【技術分野】
【０００１】
本発明は、さまざまなフォーマットで記録されたコンテンツを選択的に送信するコンテンツ送信装置、コンテンツ送信装置から送信されたコンテンツを再生するコンテンツ再生装置、およびコンテンツ送信装置とコンテンツ再生装置により構成されるコンテンツ送受信システムに関する。
【背景技術】
【０００２】
自宅に設置したデスクトップ型パーソナルコンピュータなどのコンテンツ送信装置に保存した動画データや音声データといったコンテンツを携帯音楽プレーヤなどのコンテンツ再生装置に転送して再生することが、一般に行われるようになってきている。コンテンツ送信装置からコンテンツ再生装置へのコンテンツの転送は、コンテンツ送信装置がメモリカードや光ディスクなどの媒体にコンテンツを書き込み、その媒体をコンテンツ再生装置で読み込むといった記憶媒体を介した方法や、コンテンツ送信装置とコンテンツ再生装置を、ＵＳＢなどのインタフェースによって接続して通信する通信インタフェースを介した方法で行われる。
【０００３】
ここで、コンテンツの記録フォーマットにはさまざまなものが使用されている。例えば、音声についてはＭＰ３、ＡＡＣ、ＷＭＡなどであり、動画についてはＭＰＥＧ―１、ＭＰＥＧ−２、Ｈ．２６４、ＷＭＶなどである。フォーマット間に互換性はないので、ＷＭＡに対応していないコンテンツ再生装置にＷＭＡの音声データを転送しても、その音声データを再生することはできない。また、同一フォーマット内においても、例えば動画については画素数やフレームレートを定義したプロファイルによっては、コンテンツ再生装置で対応していないために再生できない場合がある。
【０００４】
ユーザが単一のコンテンツ再生装置のみを保有している場合、そのコンテンツ再生装置で再生可能なフォーマットでコンテンツ送信装置にコンテンツを蓄積するようにすることで、上記の問題は回避できるが、ユーザが保有するコンテンツ再生装置が増えたときは、あるコンテンツがあるコンテンツ再生装置で再生可能かどうかを知ることは困難であるため、転送したものの再生できない場合があり得る。
【０００５】
特許文献１には、ポータブル機器でサポートするデータ形式をデータ転送装置で管理し、ポータブル機器で処理できないと判断した場合、ポータブル機器で処理可能な形式に変換してからデータ転送を行うことで、ポータブル機器側でサポートするデータ形式などの相違を意識することなく、動画像コンテンツを転送できるデータ転送装置が記載されている。
【０００６】
【特許文献１】特開２００６−１１７５７号公報
【発明の開示】
【発明が解決しようとする課題】
【０００７】
特許文献１に記載のデータ転送装置によると、コンテンツ再生装置がサポートするデータ形式をコンテンツ送信装置で管理するようになっているため、コンテンツ再生装置とコンテンツ送信装置とが正しく対応できていることが必要となる。例えば、コンテンツ再生装置のアップデートにより再生可能なデータ形式が変更されたとき、あわせてコンテンツ送信装置の管理するデータ形式も変更しなければならない。対応づけの維持をユーザが行うこととなり、ユーザにとって不便である。
【０００８】
また、コンテンツ送信装置でコンテンツ再生装置がサポートするデータ形式を管理するために、コンテンツ送信装置に動画や音声のデータ形式に合わせたコーデックを持たせることによりコンテンツ再生装置と同様の再生環境を用意することが考えられるが、コンテンツ送信装置で再生を行う必要がない場合にはこの再生環境が無駄になってしまう。
【０００９】
そこで、本発明は、コンテンツ再生装置で確実に再生可能なコンテンツを送信することのできるコンテンツ送信装置、コンテンツ再生装置およびコンテンツ送受信システムを提供することを目的とする。
【課題を解決するための手段】
【００１０】
本発明の第１のコンテンツ再生装置は、コンテンツ送信装置から送信対象コンテンツリストを取得し、送信対象コンテンツリストに対応するコンテンツをコンテンツ再生手段で再生することによって再生することのできないコンテンツを識別し、その結果をコンテンツ送信装置に送信することを特徴とする。
【００１１】
本発明の第２のコンテンツ再生装置は、コンテンツ送信装置から送信対象コンテンツリストを取得し、送信対象コンテンツリストに対応するコンテンツをコンテンツ送信装置に要求し、コンテンツをコンテンツ再生手段で再生することによって再生不可コンテンツを識別して再生不可コンテンツリストを作成し、再生不可コンテンツリストをコンテンツ送信装置に送信することを特徴とする。
【００１２】
本発明のコンテンツ送信装置は、コンテンツ再生装置に送信すべき送信対象コンテンツリストをコンテンツ再生装置に送信し、コンテンツ再生装置から、コンテンツ再生装置で再生できなかったコンテンツのリストである再生不可コンテンツリストを取得し、再生不可コンテンツリストに対応するコンテンツを送信対象コンテンツリストから除外することを特徴とする。
【００１３】
本発明のコンテンツ送受信システムは、送信すべきコンテンツのリストである送信対象コンテンツリストを作成するコンテンツ送信装置と、コンテンツ送信装置から送信対象コンテンツリストを取得するコンテンツ再生装置とを有し、コンテンツ再生装置は、送信対象コンテンツリストに対応するコンテンツをコンテンツ送信装置に要求し、コンテンツをコンテンツ再生手段で再生することによって再生不可コンテンツを識別して再生不可コンテンツリストを作成し、コンテンツ送信装置は、再生不可コンテンツリストに対応するコンテンツを送信対象コンテンツリストから除外することを特徴とする。
【発明の効果】
【００１４】
本発明によれば、コンテンツ再生装置で確実に再生可能なコンテンツを送信することのできるコンテンツ送信装置、コンテンツ再生装置およびコンテンツ送受信システムを提供することができる。
【発明を実施するための最良の形態】
【００１５】
以下、図面を参照して本発明を実施するための最良の形態について詳細に説明する。本実施形態では、コンテンツ送信装置とコンテンツ再生装置とが接続されており、コンテンツ送信装置が転送対象コンテンツリストを作成し、コンテンツ再生装置はリストに基づいてコンテンツの再生可否を判断し、再生不可コンテンツリストを作成してコンテンツ送信装置に返すよう構成されている。
【００１６】
図１は、本実施形態のコンテンツ送受信システムの構成を示す図である。図１を参照すると、本実施形態のコンテンツ送受信システムは、コンテンツ送信装置１００とコンテンツ再生装置２００によって構成され、コンテンツ送信装置１００とコンテンツ再生装置２００とが接続されている。
【００１７】
コンテンツ送信装置１００は、コンテンツ記憶部１１０、リスト管理部１２０および通信部１３０で構成される。コンテンツ送信装置１００は、具体的にはパーソナルコンピュータ、ハードディスクレコーダなど、通信インタフェースを介してコンテンツを他の情報処理装置に提供可能な情報処理装置が該当する。
【００１８】
コンテンツ記憶部１１０は、コンテンツを記憶する。具体的にはハードディスクドライブユニットなどの大容量記憶装置が該当する。本実施形態では、コンテンツ記憶部１１０は、コンテンツ送信装置１００に内蔵される構成をとっているが、ＵＳＢやネットワークといったインタフェースを介してコンテンツ送信装置に接続される構成をとってもよい。コンテンツ記憶部１１０に記憶されるコンテンツは、例えば音楽・動画・静止画などのマルチメディア情報である。
【００１９】
リスト管理部１２０は、コンテンツ再生装置２００に転送する対象となるコンテンツの一覧である転送対象コンテンツリストを管理する。リスト管理部１２０は、具体的には所定のソフトウェアを実行するマイクロプロセッサにより構成可能である。
【００２０】
通信部１３０は、コンテンツ再生装置２００との通信を制御する。コンテンツ再生装置２００との通信には、ＵＳＢ、ＩＥＥＥ１３９４、有線ＬＡＮ、無線ＬＡＮ、シリアルインタフェースなどが使用可能であるが、これに限らない。通信部１３０は、具体的には専用の集積回路や、所定のソフトウェアを実行するマイクロプロセッサにより構成可能である。
【００２１】
コンテンツ再生装置２００は、コンテンツ記憶部２１０、制御部２２０、通信部２３０および再生部２４０で構成される。コンテンツ読出装置２００は、具体的にはパーソナルコンピュータ、携帯音楽プレーヤ、携帯動画プレーヤなど保存したコンテンツを再生可能な情報処理装置が該当する。
【００２２】
コンテンツ再生装置２００を構成するコンテンツ記憶部２１０および通信部２３０は、コンテンツ送信装置１００を構成するコンテンツ記憶部１１０および通信部１３０と同様に構成されるため、説明を省略する。
【００２３】
制御部２２０は、コンテンツ読出装置２００が全体として所望の動作を行うよう、各部を制御する。制御部２２０は、具体的には所定のソフトウェアを実行するマイクロプロセッサにより構成可能である。
【００２４】
再生部２４０は、コンテンツの再生可否を判断し、再生可能なコンテンツを再生する。再生部２４０は、具体的には専用の集積回路や、所定のソフトウェアを実行するマイクロプロセッサにより構成可能である。
【００２５】
次に、図２を参照して、コンテンツ送信装置１００が転送対象コンテンツリストを確定するときの動作を説明する。図２を参照すると、リスト管理部１２０は、コンテンツ再生装置への転送対象となるコンテンツリストを作成する（ステップＳ１１）。ここで、転送対象コンテンツの作成は、所定のアルゴリズムによって自動的に実行してもよいし、コンテンツ一覧を図示しない表示部に表示し、ユーザが図示しない入力部によって選択するようにしてもよい。コンテンツリストには、コンテンツの名称、コンテンツのデータ形式、コンテンツのファイルパスなどが含まれる。
【００２６】
次に、通信部１３０は、転送対象コンテンツリストをコンテンツ再生装置２００に送信する（ステップＳ１２）。続いて、通信部１３０は、コンテンツ再生装置２００からの送信を待ち、再生不可コンテンツリストを受信する（ステップＳ１３）。ステップＳ１２で転送対象コンテンツリストの送信を受けてからステップＳ１３で再生不可コンテンツリストを送信するまでのコンテンツ再生装置２００の動作は後述する。
【００２７】
次に、リスト管理部１２０は、転送対象コンテンツリストから、再生不可コンテンツリストに対応するコンテンツを削除する（ステップＳ１４）。
【００２８】
続いて、図３を参照して、コンテンツ再生装置２００が転送対象コンテンツリストを確定するときの動作を説明する。図３を参照すると、通信部２３０は、コンテンツ送信装置１００から転送対象コンテンツリストを受信する（ステップＳ２１）。
【００２９】
次に、制御部２２０は、転送対象コンテンツリストに基づいて転送対象コンテンツをコンテンツ送信装置１００に要求し、受信する（ステップＳ２２）。制御部２２０は、受信した転送対象コンテンツを再生対象として再生部２４０に入力し、再生部２４０は入力されたコンテンツの再生可否を出力する。このように、ファイルに実際にアクセスすることにより、コンテンツの再生可否を確実に判断することができる。
【００３０】
次に、制御部２２０は、再生部２４０により再生不可と判断されたコンテンツに基づいて再生不可コンテンツリストを作成する（ステップＳ２３）。続いて通信部２３０は、再生不可コンテンツリストをコンテンツ送信装置１００に送信する。
【図面の簡単な説明】
【００３１】
【図１】本実施形態のコンテンツ送受信システムの構成を示す図である。
【図２】本実施形態のコンテンツ送信装置が転送対象コンテンツリストを確定するときの動作を説明する図である。
【図３】本実施形態のコンテンツ再生装置が転送対象コンテンツリストを確定するときの動作を説明する図である。
【符号の説明】
【００３２】
１００  コンテンツ送信装置
１１０  コンテンツ記憶部
１２０  リスト管理部
１３０  通信部
２００  コンテンツ再生装置
２１０  コンテンツ記憶部
２２０  制御部
２３０  通信部
２４０  再生部
【図１】
2009238058.tif 000003
【図２】
2009238058.tif 000004
【図３】
2009238058.tif 000005